(57)【特許請求の範囲】
【請求項１】
防火扉にガラス窓を設ける為に金属製のコ型断面をしたガラス受けを窓空間の内面にネジ止めし、このガラス受けにガラス板の縁を嵌めると共にガラス受けをカバーする為に木製の窓枠を両面側に取付けて成る防火扉の窓枠において、上記ガラス受けの底片にはネジ溝を形成し、このネジ溝には窓空間の内面に固定したネジ等が嵌入すると共に、ネジ溝の幅寸法はネジ等の頭から外れない大きさとしていることを特徴とする木製防火扉の窓枠構造。
【請求項２】
防火扉にガラス窓を組付ける方法において、窓空間の片側面に窓枠を取付け、又窓空間の内面中央には複数本のネジ等を固定すると共にネジ等の頭を内面から突出し、ガラス板の縁にはガラス受けを仮止めして窓空間に嵌め、ガラス受けを移動して底片に形成したネジ溝に上記ネジ等を嵌入することでガラス受けを介してガラス板を取付け、そして該窓空間の反対側には窓枠を取付けてガラス受けをカバーしたことを特徴とする木製防火扉のガラス窓の組付け方法。
【請求項３】
防火扉にガラス窓を組付ける方法において、窓空間の内面中央には複数本のネジ等を固定すると共にネジ等の頭を内面から突出し、ガラス板の縁にはガラス受けを仮止めして窓空間に嵌め、ガラス受けを移動して底片に形成したネジ溝に上記ネジ等を嵌入することでガラス受けを介してガラス板を取付け、そして該窓空間の両面側には窓枠を取付けてガラス受けをカバーしたことを特徴とする木製防火扉のガラス窓の組付け方法。
【発明の詳細な説明】
【０００１】
【発明の属する技術分野】
本発明は木製の防火扉に設けている窓枠の構造、及びガラス窓の組付け方法に関するものである。
【０００２】
【従来の技術】
防火扉は一般的に金属製と成っているが、居住空間を快適にしたり又は好みによって木製の防火扉が使用される場合もある。そして防火扉は火災から守る為にロックウールを芯材として充填しているが、図５に示しているように、防火扉(イ)の中央部にガラス窓(ロ)を設けるケースがある。勿論、ガラス板は火災時の高温に耐えることが出来る超耐熱結晶化ガラスや網入りガラスが使用されている。
【０００３】
ところが、このガラス板は扉に形成した窓枠に嵌められて外れないように取付けられなければならず、図６は従来の防火扉に設けた窓枠(ハ)にガラス板(ニ)を嵌める場合(ａ)、及びガラス板(ニ)を窓枠(ハ)に嵌めた状態を示している。そして両窓枠(ハ)、(ハ)の間にはコ型断面のガラス受け(ホ)、(ホ)…が取付けられていて、該ガラス受け(ホ)、(ホ)…にガラス板(ニ)の縁が嵌ることになる。
【０００４】
ガラス受け(ホ)は金属製であって、火災時の高熱で木製の窓枠(ハ)が焼け落ちてもガラス板(ニ)が外れないように金属製のガラス受け(ホ)、(ホ)…を備えている。図６(ａ)に示しているように、ガラス板(ニ)を斜めから片方のガラス受け(ホ)に挿入し、その後一部反対方向へ戻して(ｂ)に示すように嵌められる。ガラス受け(ホ)、(ホ)…に嵌めた後は外れないようにコーキングされることになるが、本発明が対象とする防火扉は木製である為に、金属製のガラス受け(ホ)、(ホ)…が露出しないように窓枠(ハ)の幅寸法Ｍを大きくしなくてはならない。
【０００５】
従来の防火扉の窓枠寸法Ｍ≒２５ｍｍであって、防火扉以外の窓枠寸法が約１６ｍｍであるのに比較して大きくなっている。従って防火扉の外観が損なわれ、一般の扉と同じ窓枠寸法にする方が好ましい。特に、近くに一般の扉が据え付けられている場合には窓枠(ハ)の寸法の違いが目に付くことになる。
【０００６】
【発明が解決しようとする課題】
このように、従来の木製防火扉の窓枠構造には上記のごとき問題がある。本発明が解決しようとする課題はこの問題点であって、窓枠寸法が大きくならない窓枠構造を提供する。又木製防火扉にガラス窓を組付ける方法を提供する。
【０００７】
【課題を解決する為の手段】
木製の防火扉にガラス窓を設けるには、表面化する窓枠自体が木製でなくてはならず、しかし木製の窓枠は火災時の高熱にて焼失してしまうことから、内部には金属製のガラス受けが必要となる。従って、基本構造は従来のものと同じであるが、本発明では該ガラス受けの幅寸法を小さくし、一般の窓枠でもガラス受けが露出しないようにカバーすることが出来るようにしている。
【０００８】
しかし、ガラス受けの幅寸法はある程度なければガラス板を嵌めることが出来ないが、本発明では前以て取付けてあるガラス受けにガラス板を嵌めるのではなく、ガラス板の縁にガラス受けを嵌めた状態で扉に形成した窓空間に取付ける構造としている。ガラス受けにはネジ溝が形成されていて、ガラス板と共に窓空間に嵌ったガラス受けは移動することで前以て取付けてあるネジがネジ溝に嵌合して外れないようになる。
【０００９】
ガラス受けの個数は取付けてあるネジの本数と同じくする場合、又は長いガラス受けを用いてガラス受けには複数ネジが嵌合するネジ溝を形成することもある。以下、本発明に係る実施例を図面に基づいて詳細に説明する。
【００１０】
【実施例】
図１は本発明の窓枠構造を示している実施例である。同図の１はガラス板、２は窓枠、３はガラス受けを示しており、(ｂ)に示すようにガラス板１を嵌めた窓枠の基本構造は従来と同じである。しかし、(ａ)に示すように、ガラス板１の取付け方法は異なり、ガラス受け３，３…をガラス板１の縁に仮止めした状態で窓空間４に嵌められる。
【００１１】
窓空間４の片面側には窓枠２が取付けられ、そして窓空間４の内面５，５…にはネジ６，６…が螺合して設けられている。そこでガラス受け３，３…を配置したガラス板１は窓空間４に嵌り、そしてガラス受け３，３…を移動してネジ６，６…と係止することが出来る。
【００１２】
図２はガラス受け３を示している具体例であり、両側片７，７と底片８を有すコ型断面を成し、両側片７，７間にはガラス板１の縁が嵌ることが出来、そして底片８の一方端からネジ溝９が形成されている。ガラス受け３，３…は図３に示すようにガラス板１の両側縁に取付けられ、落下しないようにテープ１１，１１…にて止着されている。又必要に応じてガラス板１の上下縁にもガラス受け３，３を取付けることもある。
【００１３】
ところで、ガラス受け３，３…をテープ１１，１１…で仮止めしたガラス板１は窓空間４に嵌められることになるが、窓空間４の内面５，５…に螺合しているネジ６，６…の位置はガラス受け３，３…とは異なっている。従ってガラス受け３，３…がネジ６，６…に当ることはなく、ガラス板１が窓空間４に嵌った後でテープ１１，１１…を剥がしてガラス受け３，３…を降ろす。ガラス受け３，３…のネジ溝９，９…にネジ６，６…が嵌入してガラス受け３，３…は窓空間４に取付けられる。
【００１４】
ここで、ネジ溝９の幅はネジの頭が外れない寸法となっている。ガラス受け３，３…が窓空間４に取付けられることでガラス板１は外れず、図１(ｂ)に示すように反対側にも窓枠２が嵌められる。図２に示しているガラス受け３の側片幅は小さく、その為に該ガラス受け３，３…をカバーする窓枠２，２の幅寸法Ｍは一般の扉に用いている窓枠寸法と同じ大きさとすることが出来る。
【００１５】
図４はガラス受け３を示す他の具体例である。このガラス受け３はガラス板１の側縁のほぼ全長に渡る長さと成っていて、底片８には同じくネジ溝９ａ，９ｂが形成されている。そしてネジ溝９ａには入口溝１０ａが連続して形成され、又ネジ溝９ｂには入口溝１０ｂが連続して形成されている。このガラス受け３をガラス板１の側縁に取付けて、入口溝１０ａ，１０ｂから窓空間４の内面５，５に螺合して設けているネジ６，６…が進入することが出来、ガラス受け３を降下することでネジ６，６…はネジ溝９ａ，９ｂに嵌る。
【００１６】
以上述べたように、本発明に係る木製防火扉の窓枠構造は、ガラス受けをガラス板の縁に取付けた状態で窓空間に嵌め、ガラス受けのネジ溝にネジを嵌合するようにしたものであり、次のような効果を得ることが出来る。
【００１７】
【発明の効果】
本発明の窓枠構造はガラス板の縁にガラス受けを取付けた状態で窓空間に嵌め、窓空間に嵌めたところでガラス受けを降下し、該ガラス受けの底に形成しているネジ溝にネジを嵌入して構成している。従って、ガラス受けの側片幅は小さくてよく、その結果、該ガラス受けをカバーする窓枠寸法は小さくて済み、木製防火扉の窓枠は外観的に好ましいものとなる。すなわち、防火扉であっても、一般の木製扉と外観上の差は存在しない。
【図面の簡単な説明】
【図１】本発明の木製防火扉の窓枠構造を示す実施例。
【図２】ガラス受けの具体例。
【図３】ガラス板にガラス受けをテープ止めした場合。
【図４】ガラス受けの具体例。
【図５】ガラス窓を有す防火扉。
【図６】従来の木製防火扉の窓枠構造。
【符号の説明】
１  ガラス板
２  窓枠
３  ガラス受け
４  窓空間
５  内面
６  ネジ
７  側片
８  底片
９  ネジ溝
10  入口溝
11  テープ
【図１】
0003548996.tif 000002
【図２】
0003548996.tif 000003
【図３】
0003548996.tif 000004
【図４】
0003548996.tif 000005
【図５】
0003548996.tif 000006
【図６】
0003548996.tif 000007